(57)【要約】【課題】  室外側に固定障子を室内側に可動障子を配し且つ下枠の上面をバリアフリーの略平坦面にした開口部装置であって、高水密性を確保することができ、障子開閉時の室内側への水の流れ込みを防止することができる開口部装置を提供する。【解決手段】  上枠２ａ、下枠２ｂ及び左右の縦枠２ｃ，２ｄからなる枠２と、該枠２内の室外側に設けられた固定障子３と、枠２内の室内側にスライド開閉自在に設けられた可動障子４とを備え、前記下枠２ａの上面１８を略平坦面に形成し、前記可動障子４の室外側下部に垂下片１９を設け、前記下枠２ａの上面に前記垂下片１９を案内する案内溝２２を形成し、該案内溝２２に垂下片１９と対応する横気密材３８を設け、前記案内溝２２内における閉鎖時の可動障子４の召合せ框５ｃ下方に、案内溝２２内を室外側と室内側に仕切って止水する止水ブロック４０を設けている。【選択図】          図４
2005120611.tif 000002
【特許請求の範囲】
【請求項１】
上枠、下枠及び左右の縦枠からなる枠と、該枠内の室外側に設けられた固定障子と、枠内の室内側にスライド開閉自在に設けられた可動障子とを備え、前記下枠の上面を略平坦面に形成し、前記可動障子の室外側下部に垂下片を設け、前記下枠の上面に前記垂下片を案内する案内溝を形成し、該案内溝に垂下片と対応する横気密材を設け、前記案内溝内における閉鎖時の可動障子の召合せ框下方に、案内溝内を室外側と室内側に仕切って止水する止水ブロックを設けたことを特徴とする開口部装置。
【発明の詳細な説明】
【技術分野】
【０００１】
本発明は、開口部装置に係り、特に室外側に固定障子を室内側に可動障子を配し且つ下枠の上面をバリアフリーの略平坦面にすると共に止水構造を改良した開口部装置に関するものである。
【背景技術】
【０００２】
開口部装置としては、上枠、下枠及び左右の縦枠からなる枠と、該枠内の室外側に設けられた固定障子と、枠内の室内側にスライド開閉自在に設けられた可動障子とを備えたもの（例えば片引き窓）が知られている。この片引き窓において、前記下枠の上面を略平坦面に形成してバリアフリーとする開発が進められている。
【０００３】
なお、枠内の室外側及び室内側の両方に可動障子をスライド開閉自在に設けた引違い窓においては、下枠の上面を略平坦面に形成してバリアフリーとしたものが知られている（例えば特開２００２-１９４９６３号公報参照）。この公報に記載された止水構造を前記片引き窓に適用することは可能である。
【０００４】
【特許文献１】特開２００２-１９４９６３号公報
【発明の開示】
【発明が解決しようとする課題】
【０００５】
しかしながら、片引き窓に前記止水構造を適用した場合、可動障子の召合せ框下部の止水ラインが下枠の可動障子の走行面上に来るため、水密性の安定化ないし高水密性を確保することが難しい。また、前記走行面が室外側となるため、走行面上に砂やほこりが付き易く、走行面に傷が付き易い。また、可動障子の室外面に雨水等の水が付いた状態で可動障子を開けると室内側に水を引き込むこととなり、可動障子の室外面から水が走行面上に流下して室内側に流れ込む恐れがある。
【０００６】
本発明は、前記事情を考慮してなされたもので、室外側に固定障子を室内側に可動障子を配し且つ下枠の上面をバリアフリーの略平坦面にした開口部装置であって、高水密性を確保することができ、障子開閉時の室内側への水の流れ込みを防止することができる開口部装置を提供することを目的とする。
に関する。
【課題を解決するための手段】
【０００７】
本発明は、上枠、下枠及び左右の縦枠からなる枠と、該枠内の室外側に設けられた固定障子と、枠内の室内側にスライド開閉自在に設けられた可動障子とを備え、前記下枠の上面を略平坦面に形成し、前記可動障子の室外側下部に垂下片を設け、前記下枠の上面に前記垂下片を案内する案内溝を形成し、該案内溝に垂下片と対応する横気密材を設け、前記案内溝内における閉鎖時の可動障子の召合せ框下方に、案内溝内を室外側と室内側に仕切って止水する止水ブロックを設けたことを特徴とする。
【発明の効果】
【０００８】
本発明によれば、上枠、下枠及び左右の縦枠からなる枠と、該枠内の室外側に設けられた固定障子と、枠内の室内側にスライド開閉自在に設けられた可動障子とを備え、前記下枠の上面を略平坦面に形成し、前記可動障子の室外側下部に垂下片を設け、前記下枠の上面に前記垂下片を案内する案内溝を形成し、該案内溝に垂下片と対応する横気密材を設け、前記案内溝内における閉鎖時の可動障子の召合せ框下方に、案内溝内を室外側と室内側に仕切って止水する止水ブロックを設けているため、室外側に固定障子を室内側に可動障子を配し且つ下枠の上面をバリアフリーの略平坦面にした開口部装置であって、高水密性を確保することができ、障子開閉時の室内側への水の流れ込みを防止することができる。
【発明を実施するための最良の形態】
【０００９】
以下に、本発明を実施するための最良の形態について、添付図面を基に詳述する。図１は本発明の実施の形態を示す片引き窓の室内側正面図、図２は図１のＡ−Ａ線拡大断面図、図３の（ａ）は図１のＢ−Ｂ線拡大断面図、（ｂ）は図１のＣ−Ｃ線拡大断面図、図４は召内框下部の止水構造を示概略的斜視図である。
【００１０】
これらの図において、１は開口部装置である片引き窓タイプの下枠フラットサッシ（ノンレールサッシともいう）で、このサッシ１は、建築物の屋外開口部に取付けられる上枠２a、下枠２ｂ及び左右の縦枠２ｃ，２ｄからなる枠２と、該枠２内の室外側に嵌め殺しに設けられた固定障子（外障子）３と、枠２内の室内側にスライド開閉自在に設けられた可動障子（内障子）４とを備えている。上枠２ａ、下枠２ｂ及び左右の縦枠２ｃ，２ｄは、例えばアルミ押出形材からなっている。図示例では、室内側から見て左側に固定障子３を、右側に可動障子４を配した右勝手のサッシが示されているが、これとは逆の配置の左勝手のサッシであっても良い。
【００１１】
前記可動障子４は、例えばアルミ押出形材からなる上框５ａ、下框５ｂ及び左右の縦框（召し合せ框と戸先框）５ｃ，５ｄからなる框組内にガラスパネル６を装着してなる。前記固定障子３は、上桟７ａ及び下桟７ｂと、前記一方の縦枠２ｃと、閉鎖（全閉）時の可動障子４の召合せ框５ｃに対応して上枠２ａと下枠２ｂ間に掛け渡されて固定された召合せ方立７ｃとからなる枠組内にガラスパネル６を装着してなる。上桟７ａの上部は上枠２ａの下面に形成された溝部８に係合されており、下桟７ｂは下枠２ｂの上面に形成された後述の室外側溝部に係合されている。上枠２ａの下面には可動障子４の上部を案内する上部レール９が設けられている。図示例の障子３，４は中間横桟を５ｅ，７ｅ有しているが、中間横桟を有していなくても良い。
【００１２】
固定障子３の召合せ方立７ｃにはクレセント受け１０が設けられ、可動障子４の召合せ框（召内框ともいう）５ｃには可動障子４の閉鎖時に前記クレセント受け１０に係合させて施錠するためのクレセント錠１１が設けられている。前記可動障子４の召合せ部である召合せ框５ｃと固定障子３の召合せ部である召合せ方立７ｃとの間には閉鎖時に互いに係合する煙返し部１２ａ，１２ｂが設けられていると共に、召合せ框５ｃの室外面には召合せ方立７ｃの室内面に接してこれらの間を封止する例えば軟質樹脂製の召合せ気密材１３が上下方向に設けられている。また、閉鎖時に可動障子４の戸先部である戸先框５ｄと縦枠２ｄとの間をシールするために縦枠２ｄには例えば軟質樹脂製の縦枠気密材１４が上下方向に設けられている。なお、可動障子４の上部には上部レール９との間を封止する上部気密材１５が設けられている。可動障子４の戸先框５ｄの室内面には開閉用の把手１６が設けられている。
【００１３】
前記可動障子４の下框５ｂには戸車１７が取付けられ、この戸車１７を介して可動障子４が下枠２ｂの上面１８にスライド開閉可能に支持されている。戸車１７には可動障子１４の高さ調整を行う図示しない建付調整機構が設けられている。前記下枠２ｂの上面１８は略平坦面に形成され、室外側に配置した排水用グレーチングやバルコニー等のデッキ部１３と、室内側の床部とが下枠２ｂの上面１８と略水平に形成され、バリアフリー構造になっている。グレーチングの下には排水溝が設けられている。下枠２ｂの上面１８には戸車１７の走行を案内する凸面状の戸車走行面１８ａが形成されている。
【００１４】
可動障子４の室外側下部にはその長手方向全長に亘って垂下片１９が設けられている。実施例の場合、垂下片１９は下框５ｂの室外側下部全長に形成されており、可動障子４の左右の縦框５ｃ，５ｄの下部に取付けられた振れ止め部材２０，２１にも前記垂下片１９と連続する垂下片１９ａが形成されている（図４、図８、図１３参照）。この垂下片１９（１９ａを含む。以下同様。）は戸車１７の下端よりも下方に延出されている。前記下枠２ｂの上面１８には前記垂下片１９を案内する幅の狭い案内溝２２が下枠２ａの長手方向全長に亘って設けられている。
【００１５】
また、下枠２ｂ内にはこれを上下に仕切る隔壁２３が設けられ、該隔壁２３には前記戸車１７と対応する位置に立上り壁２４が長手方向に沿って設けられると共に、この立上り壁２４を挟んで室内側溝部２５と室外側溝部２６が形成されている。これら室内側溝部２５と室外側溝部２６とには下枠２ａの略平坦な上面を形成する例えばアルミ押出形材製の室内側カバー材２７と室外側カバー材２８とが着脱自在に設けられている。室内側カバー材２７の一側部は室内側溝部２５の底部（隔壁２３）に支持され、他側部は立上り壁２４に支持されている。室外側カバー材２８の両側部は室外側溝部２５の底部（隔壁２３）に支持されている。室外側カバー２８材の一側部２８ａによって、前記室外溝部２６は立上り壁２４との間の第１中間溝２６ａ部と、他側部２８ｂとの間の第１室外側溝部２６ｂとに仕切られている。また、固定障子３の下桟７ｂの室内側下部（一側）には室外側溝部２６の底部に支持される横断面Ｌ字状の支持脚部２９ａが形成され、室外側溝部２６はこの支持脚部２９ａと前記立上り壁２４との間の第２中間溝部２６ｃと、他側の支持脚部２９ｂとの間の第２室外側溝部２６ｄとに仕切られている。第１中間溝部２６ａの溝幅は案内溝２２のそれよりも広く、第２中間溝部２６ｃの溝幅は第１中間溝部２６ａのそれよりも広い。
【００１６】
障子３，４を取外すこと無く下枠２ｂを容易に掃除できるようにするために、下枠２ｂの室外側溝部２６内には召合せ方立７ｃ側と縦枠２ｄ側に室外側カバー材２８の長手方向両端部を着脱可能（着脱自在）に係合させる端部キャップ３０，３１が取付けられている（図２、図４、図１２参照）。すなわち、室外側カバー材２８の脱着を容易にするために、少なくとも一方の端部キャップ３０には室外側カバー材２８の端部を係止する係止溝部３０ａが形成されていると共に室外側カバー材２８の端部を押圧する弾性片３０ｂが設けられている。室外側カバー材２８はその長手方向中間部の浮き上がりを防止するために下枠２ｂの隔壁２３に対して固着具例えばネジ（ビス）で適宜固定されていることが好ましい。
【００１７】
室内側カバー材２７は、閉鎖位置の可動障子４の下部に位置される一方の第１カバー材２７ａと、他方の第２カバー材２７ｂとに２分割され、固定障子３側の案内溝２２の内部を清掃し得るように第２カバー材２７ｂが容易に脱着可能になっている。すなわち、図１１に示すように左側の室内側溝部２５内の縦枠２ｃ側には可動障子４用のストッパー３２が取付けられ、このストッパー３２には図１０の（ｂ）に示すように第２カバー材２７ｂの一端を係止する係止溝部３２ａが形成されていると共に該第２カバー材２７ｂの一端を押圧する弾性片３２ｂが設けられている。前記他方のカバー材２７ｂの他端にはこれを下枠２ｂの隔壁２３に固定するための固着具であるネジ（ビス）３３が取付けられている。なお、図１１において、３４は固定障子３の幅が可動障子４の幅よりも大きい場合に可動障子４を丁度良い全開位置に停止させるために固定障子３の下桟７ｂの室内面に取付けられた補助ストッパーである。
【００１８】
隔壁２３の下部は空間部３５とされ、該空間部３５は下枠２ｂの室外壁に設けた排水口３６を通して室外の排水溝と連通されている。前記下枠２ｂの隔壁２３には閉鎖時の障子３，４よりも室外側空間と前記下枠２ｂの空間部３５とを連通する排水孔３７が設けられている。前記下枠２ｂの空間部３５は図示例の場合、中空部（ホロー部）からなっているが、これに限定されない。
【００１９】
可動障子４の閉鎖時にサッシ１の室内側と室外側を気密ないし水密に遮断するために、また、下枠上面１８が平坦面であるがゆえに浸入しやすい雨水の浸入を防止するために、枠２と閉鎖時の障子３，４により両者の間に連続した気密ライン（止水ラインともいう）を如何に形成するかが重要となる。本実施例では、前記下枠２ｂにおける閉鎖状態の可動障子４の垂下片１９（１９ａを含む）と案内溝２２の室内側縁部との間に軟質樹脂製の横気密材３８が設けられている。この横気密材３８は案内溝２２の室内側縁部、具体的には前記室内側カバー材２７の室外面に気密材取付溝３９を介して取付けられており、この横気密材３８に対して垂下片１９の室内面が接している。なお、横気密材３８は閉鎖時の可動障子４の垂下片１９に対応する範囲で設けられている。
【００２０】
前記横気密材３８は、閉鎖位置の可動障子４の召合せ框５ｃの位置で切断されており、その切断箇所で横気密材３８と召合せ縦気密材１３をつないで気密ラインを連続させるために、図４に示すように障子閉鎖時の可動障子４の召合せ框（召内框ともいう）５ｃ下方における案内溝２２内（具体的には第２中間溝部２６ｃ）には案内溝２２内（２６ａ，２６ｃを含む）を当該召合せ框５ｃの位置で室外側と室内側とに仕切る例えば軟質樹脂製の止水ブロック４０が設けられている。この止水ブロック４０よりも室外側（図３では右側、図４では左側）に前記排水孔３７が設けされている。また、案内溝２２内を召合せ框５ｃの下方において室外側と室内側とに十分に仕切るために、前記室内側カバー材２７の室外面には図５に示すような例えば軟質樹脂製の風止部材５０が取付溝３９を利用して取付けられている。この風止部材５０は、横気密材３８の端部に当接される本体部５０ａを有し、この本体部５０ａの裏面部に取付溝部３９に係合する横断面略Ｔ字状の係合部５１が形成されている。風止部材５０、垂下片１９（具体的には１９ａ）の室内面に接して封止性能を上げるために、本体部５０ａの正面部には正面略田状に仕切られた複数の凹部５２が設けられている。
【００２１】
止水ブロック４０は、第２中間溝部２６ｃに嵌合されて固定される本体部４０ａを有し、この本体部４０ａの上部には可動障子４の垂下片１９（具体的には１９ａ）の下端面に弾性で接する複数枚（例えば４枚）のヒレ状の第１気密片４１と、可動障子４の召合せ框５ｃの室外面下部に設けられた気密ピース６０の下面に弾性で接する複数枚例えば５枚のヒレ状の第２気密片４２とが設けられている。第１気密片４１は第２中間溝部２６ｃの長手方向に直交するようにして上向きに突出（起立）して配置されると共に、第２中間溝部２６ｃの長手方向に適宜間隔で配置される。前記止水ブロック４０は、第１気密片４１の独立した動きを確保するために、前記第１気密片４１を有する気密片部４３と、該気密片部４３を取付ける本体部４０ａとの２部材で構成されている。本体部４０ａに対する気密片部４３の取付け（組立作業）を容易にするために、本体部４０ａには気密片部４３の下部に形成した断面逆Ｔ字状の係合部４４を一側方から係合させる係合溝４５が形成されている。
【００２２】
第１気密片４１は閉鎖時の可動障子４の召合せ框下部振れ止め部材２０の垂下片部１９ａが止水ブロック４０の本体部４０ａの上方に位置したときに弾性で湾曲しながら垂下片部１９ａの下端面に接し、止水ブロック４０の本体部４０ａと垂下片部１９ａの下端面との間を封止し、弾性で湾曲するように柔軟性を有していることにより摩擦抵抗及び磨耗を低減している。また、第１気密片４１が一側の第２気密片４２から独立している（切り離されている）ことにより、偏った弾性変形を防止して、独立した弾性変形を確保することができ、気密性の向上が図れるようになっている。
【００２３】
第２気密片４２は本体部４０ａの長手方向に直交するようにして上向きに突出（起立）して配置されると共に、本体部４０ａの長手方向に適宜間隔で配置される。また、第２気密片４２は図４に示すように閉鎖時の可動障子３の召合せ框室外面下部の気密ピース６０が止水ブロック４０の上方に位置したときに弾性で湾曲しながら気密ピース６０の下端面に接し、可動障子４の召合せ框室５ｃ外面と召合せ方立７ｃ室内面との間の隙間における止水ブロック４０の本体部４０ａと気密ピース６０の下端面との間を封止し、弾性で湾曲するように柔軟性を有していることにより摩擦抵抗及び磨耗を低減している。
【００２４】
前記気密ピース６０は、図７に示すように形成された発泡樹脂（例えばスポンジ）からなり、可動障子４の召合せ框５ｃの室外面下部に両面粘着テープ等で貼り付け固定されている。この気密ピース６０の室外面が閉鎖時に固定障子３の召合せ方立７ｃの室内面に接し、気密ピース６０が可動障子４の召合せ框５ｃの室外面に設けられた召合せ気密材１３と接していることにより、止水ブロック４０及び風止部材５０と共に横気密材３８による横気密ラインと召合せ気密材１３による縦気密ラインとをつないでいる。
【００２５】
前記第２気密片４２は垂下片１７ａの室外面に柔軟性を持って接するよう室内側へも突出して形成されている。前記召内框下部振れ止め部材２０の垂下片部１９ａの室外面は図９に示すように下框５ｂの垂下片１７の室外面よりも室外側若干例えば１〜２ｍｍ程度突出して形成されており、可動障子４の閉鎖時には（ａ）に示すように第２気密片４２が垂下片部１９ａの室外面に弾性で湾曲した状態で接しており、風圧で可動障子４が室内側に押されても垂下片１９ａの室外面から離れないようになっている。また、可動障子４の開放時には（ｂ）に示すように第２気密片４２の先端部が下框５ｂの垂下片１９の室外面に軽く接するようになり、開閉操作時の抵抗を軽減できるようになっている。
【００２６】
前記横気密材３８と縦枠２ｄ側の縦枠気密材１４とは異なる垂直面上にある。そこで、横気密材３８による横気密ラインと縦枠気密材１４による縦気密ラインとを連続させるために、図１３に示すように、前記下枠２ｂには横気密材３８と縦枠気密材１４とを間接的に連結する例えば軟質ゴム製の下枠立上り気密部４７が設けられると共に、前記可動障子４の戸先框下部には閉鎖時に前記下枠立上り気密部４７に当接して下枠立上り気密部４５との間を封止する戸先部下部気密部４６が設けられている。
【００２７】
前記下枠立上り気密部４５は、下枠２ｂの上面１８を形成するカバー材、すなわち室内側カバー材２７の端部に取付けられている。この下枠立上り気密部４５は、室内側カバー材２７の端部に当接されて室内側溝部２５を閉塞する本体部４５ａと、室内側カバー材２７の下部溝内に端部から嵌合される嵌挿部４５ｂと、下枠２ｂの上面１８から立上がった立上り部４５ｃとを有している。この立上り部４５ｃの内端面と前記戸先部下部気密部４６の外端面とが対向しており、可動障子４を閉鎖した時に戸先部下部気密部４６の外端面が下枠立上り気密部４５の立上り部４５ｃの内端面に当接して両者の間を封止するようになっている。
【００２８】
前記戸先部下部気密部４６は内障子３の戸先框６ｄの下部に取付けた振れ止め部材２１の下部に垂下部として設けられている。この戸先部下部気密部４６の少なくとも前記下枠立上り気密部４５と当接する部分はクッション材例えばスポンジからなり、戸先部下部気密部６と下枠立上り気密部４５との間に若干のラップ代をとってあり、スポンジを潰して気密性を確保するようになっている。また、可動障子４の戸先框下部には、戸先部下部気密部４６よりも戸先側において下方に突出した例えば軟質ゴム製等の水切り部４７が設けられていることが好ましい。
【００２９】
前記下枠立上り気密部４５及びその立上り４５ｃ部の一端（室内側端面）は前記縦枠気密材１４の下部（縦枠下部気密部材）に常時接（密着）しており（図示省略）、下枠立上り気密部４５の他端（室外側端面）が閉鎖時の可動障子４の戸先框下部振れ止め部材２１の室外側垂下片１９ａの室内面に接（密着）することにより気密ラインとして繋がるようになっている。また、前記戸先部下部気密部４６は一端が前記垂下片１９ａの室内面に接するようにして戸先框下面の幅方向（室内外方向）に略全長に設けられている。
【００３０】
このように室内外の気密性が確保されているため、冬期などには室内外の温度差が大きくなり、障子３，４の室内面に結露水が生じる場合があり、可動障子４の室内面に生じた結露水は可動障子４の室内側下部（下縁部）から下枠２ｂの上面１８に落下する。下枠２ｂの上面１８に落下した結露水が室内に流れ込むのを防止するために、換言すれば、室内外の気密性を保持しつつ前記結露水を室外に排水するために、前記下枠２ｂの上面１８には前記可動障子４の室内側下部（下縁部）から落下する結露水を受ける深さの浅い水受溝４７が下枠２ｂの長手方向全長に亘って設けられている。結露水は水受溝４７の端部から室内側溝部２５に排水され、該室内側溝部２５の隔壁２３に貫通して取付けられた排水弁４８を介して前記下枠２ｂ内の空間部３５へ排水されるようになっている。
【００３１】
固定障子３の室内面に生じて流下した結露水、或いは可動障子４の室外面に付着して可動障子４を開けた時（室内側に引き込んだ時）に流下した雨水等の水は、案内溝２２における止水ブロック４０から室内側の第２溝部２６ｃ内に流入し、立上り壁２４の端部に設けた切欠溝４９〔図１０（ｂ）参照〕を通って室内側溝部２５に流れ、排水弁４８を介して下枠２ｂの中空部３５に排水されるようになっている。なお、図４ないし図１０（ｂ）に示すように、固定障子３が位置する部分の下枠２ｂの隔壁２３には、例えば固定障子３の室外側から室外側第２溝部２６ｄに流入した雨水等の水を下枠２ｂの中空部３５に排水するための排水孔５５が適宜設けられている。これらの排水孔５５は、室内側空間である第２中間溝部２６ｃから隔絶されている。
【００３２】
以上の構成からなるサッシ１によれば、上枠２ａ、下枠２ｂ及び左右の縦枠２ｃ，２ｄからなる枠２と、該枠２内の室外側に設けられた固定障子３と、枠２内の室内側にスライド開閉自在に設けられた可動障子４とを備え、前記下枠２ａの上面１８を略平坦面に形成し、前記可動障子４の室外側下部に垂下片１９を設け、前記下枠２ａの上面に前記垂下片１９を案内する案内溝２２を形成し、該案内溝２２に垂下片１９と対応する横気密材３８を設け、前記案内溝２２内における閉鎖時の可動障子４の召合せ框５ｃ下方に、案内溝２２内を室外側と室内側に仕切って止水する止水ブロック４０を設けているため、室外側に固定障子３を室内側に可動障子４を配し且つ下枠２ｂの上面１８をバリアフリーの略平坦面にした下枠フラットサッシにおける高水密性を確保することができ、障子開閉時の室内側への水の流れ込みを防止することができる。
【００３３】
すなわち、前記止水ブロック４０により召合せ下部の止水ラインが下枠２ｂの戸車走行面１８ａ上に来ないので、水密性の安定化が図れる。また、戸車走行面１８ａが垂下片１９よりも完全に室内側となるので、戸車走行面１８ａ上に砂やほこりが付きにくく、戸車走行面１８ａに傷が付きにくい。更に、可動障子４の室外面に雨水等の水が付いた状態で可動障子４を開けると、室内側に水を引き込むことになるが、垂下片１９が室外側にあるため、可動障子４の室外面から流下した水が下枠２ｂの第２中間溝部２６ｃに流れ込み、この第２中間溝部２６ｃから室内側溝部２５の排水弁４８を介して下枠２ｂの空間部３５に排水することができ、障子開閉時の室内側への水の流れ込みを防止することができる。前記止水ブロック４０をヒレ式及び２ピース式としたので、障子の開閉力に影響することなく高い水密性が得られる。
【００３４】
特に、障子閉鎖時の可動障子４の召し合せ框５ｃ下方における案内溝２２内に、室外側と室内側とに仕切る止水ブロック６０を設け、該止水ブロック６０が可動障子４の垂下片１７の下端面に弾性で接するヒレ状の第１気密片４１を有しているため、召し合せ下部における気密性、耐久性及び開閉操作性の向上が図れる。
【００３５】
すなわち、前記止水ブロック４０に設けた第１気密片４１が弾性で湾曲するように柔軟性を有して可動障子４の垂下片１９の下端面に接しているため、摩擦抵抗及び磨耗を低減することができ、第１気密片４１の耐久性の向上が図れると共に障子の開閉操作が楽になり、開閉操作性の向上が図れる。また、前記止水ブロックが可動障子４の召し合せ框５ｃの室外面下部に設けられた気密ピース６０の下面に弾性で接するヒレ状の第２気密片４２を有し、該第２気密片４２が弾性で湾曲するように柔軟性を有して気密ピース６０の下面に接しているため、摩擦抵抗及び磨耗を低減することができ、第２気密片４２の耐久性の向上が図れると共に障子の開閉操作が楽になり、開閉操作性の向上が図れる。しかも、第１気密片４１が第２気密片４２から切り離して別体で設けられているため、第１気密片４１及び第２気密片４２のそれぞれ独立した弾性変形を確保することができ、第１気密片４１及び第２気密片４２の偏った弾性変形による気密不良を防止することができ、気密性の更なる向上が図れる。また、閉鎖時の可動障子４の召合せ框５ｃ下方における室内溝２２の室外面には案内溝２２内を室内側と室外側に仕切る風止部材５０が設けられているため、案内溝２２内を召合せ框５ｃの下方において室内側と室該側とに十分に封止することができる。
【００３６】
以上、本発明の実施の形態を図面により詳述してきたが、本発明は前記実施の形態に限定されるものではなく、本発明の要旨を逸脱しない範囲での種々の設計変更等が可能である。実施例では、カバー材の戸車走行面が戸車の形状に合せて凸面に形成されているが、凹面に形成されていても良い。本発明は、片引き窓以外に、例えば中央嵌め殺し両袖片引き窓、両袖嵌め殺し中央引分け窓にも適用可能である。
【図面の簡単な説明】
【００３７】
【図１】本発明の実施の形態を示す片引き窓の室内側正面図である。
【図２】図１のＡ−Ａ線拡大断面図である。
【図３】（ａ）は図１のＢ−Ｂ線拡大断面図、（ｂ）は図１のＣ−Ｃ線拡大断面図である。
【図４】召内框下部の止水構造を示概略的斜視図である。
【図５】風止部材の斜視図である。
【図６】止水ブロックの組立て方法を説明する説明図である。
【図７】召内框下部気密ピースを概略的に示す斜視図である。
【図８】召内框下部触れ止め部材を示す斜視図である。
【図９】召内框と風と目部材合せ下部止水構造を示概略的斜視図である。
【図１０】風止部材と召内框下部気密ピースの関係を示す図で、（ａ）は閉時の平面図、（ｂ）は開時の平面図である。
【図１１】室内側カバー材を取外す状態を示す斜視図である。
【図１２】室外側カバー材を取外す状態を示す斜視図である。
【図１３】可動障子の戸先框下部の気密構造を示す要部拡大断面図である。
【符号の説明】
【００３８】
１  開口部装置
２  枠
２ａ  上枠
２ｂ  下枠
２ｃ、２ｄ  縦枠
３  固定障子
４  可動障子
１８  下枠の上面
１９  垂下片
２２  案内溝
３８  横気密材
４０  止水ブロック
【図１】
2005120611.tif 000003
【図２】
2005120611.tif 000004
【図３】
2005120611.tif 000005
【図４】
2005120611.tif 000006
【図５】
2005120611.tif 000007
【図６】
2005120611.tif 000008
【図７】
2005120611.tif 000009
【図８】
2005120611.tif 000010
【図９】
2005120611.tif 000011
【図１０】
2005120611.tif 000012
【図１１】
2005120611.tif 000013
【図１２】
2005120611.tif 000014
【図１３】
2005120611.tif 000015